(57)【特許請求の範囲】
【請求項１】
洗い場パンの堰部と浴槽のフランジ部とで支持されたエプロンの左右端縁部が、洗い場パンから立ち上がる壁パネルに水密に取り付けられるエプロンの取付構造において、
前記壁パネルは、前記エプロン側の端縁に沿って折れ曲がる折曲部を備え、
洗い場パンの堰部と浴槽のフランジ部との間に架け渡されて前記エプロンの左右端縁部を支持する支持部と、該支持部から洗い場パン側に張り出して前記エプロンの左右端縁部との間で前記壁パネルの折曲部を挟み込む間隙を形成する張出部とを有する固定部材を備え、
前記固定部材の間隙に挟み込まれた前記壁パネルの折曲部とエプロンの左右端縁部との間に形成された目地部分は、平面視略楔状の乾式目地材が挿入されて閉塞されていることを特徴とするエプロンの取付構造。
【請求項２】
前記エプロンは、浴槽に向けて切り欠いた形状の係合部が浴槽側の面に設けられ、該係合部の切り欠き部分が浴槽側に先付けされたボルトの軸部に係合するようにしてあることを特徴とする請求項１に記載のエプロンの取付構造。
【発明の詳細な説明】
【技術分野】
【０００１】
本発明は、洗い場パンの堰部と浴槽のフランジ部とで支持されたエプロンの左右端縁部が洗い場パンから立ち上がる壁パネルに水密に取り付けられるエプロンの取付構造に関する。
【背景技術】
【０００２】
従来、浴槽、床パン、壁パネル及び天井パネルなどの部品を工場で予め成型しておき、成型した各部品を現場に搬入してから組み立てる浴室ユニットが知られている。
【０００３】
浴室ユニットは、現場でタイルを一枚一枚貼って仕上げていく在来浴室に比べて施工が簡単であり工期を短縮させることができるとともに、在来浴室に比べて部品点数を少なくして施工費用を少なくすることができるので、広く用いられている。
【０００４】
しかし、浴室ユニットは、洗い場パンと浴槽との間に形成された空間をエプロンにより覆い隠す構造であるため、このエプロンが破損して入浴時の湯水が浸水しないよう工夫しなければならない。
【０００５】
そこで、従来、洗い場パンの堰部と浴槽のフランジ部との間に固定部材を架け渡すことにより、浴槽のフランジ部にかかる入浴者の荷重を固定部材で受け止めてエプロンにまで及ばないようにしたエプロンの取付構造が提案されている（例えば、特許文献１）。その結果、上述した浴室ユニットの問題は、先に提案された特許文献１の構造により大幅に改善されることとなった。
【０００６】
しかし、浴室ユニットは、エプロンの水密性のみならず、浴室内部の仕上がりの美しさが市場において求められている。そのため、浴室ユニットは、部材間に形成された目地部分が目地材で閉塞されることにより、目地部分への浸水を防ぐとともに目地部分の仕上がりが美しくなるように配慮されている。
【０００７】
そこで、従来、ペースト状のシリコンコーキング剤（湿式目地材）を目地部分に充填して硬化させる方法が行われている。しかし、湿式目地材を用いた方法にあっては、充填されたシリコンコーキング剤が斑（むら）になりやすく、目地部分の水密が不完全となり、外観不良となるおそれがある。そのため、シリコンコーキング剤の充填には、作業者の高度な技能が要求される。
【０００８】
また、シリコンコーキング剤は、充填されてから硬化するまで少なくとも１２時間以上の時間を要する。そのため、施主は、施工が終了した場合であっても、直ちに浴室ユニットを使用することができずに不便を強いられる。
【０００９】
更にまた、シリコンコーキング剤は、硬化するまでに何らかの外力を受けて変位するおそれがあるため、クラック（ひび割れ）が生じやすい。その結果、目地部分の水密が不完全となり、漏水事故を引き起こすおそれがある。
【００１０】
そこで、従来、湿式目地材を用いた構造の代わりに、隣接する部材の間に形成された目地部分に、ポリエチレン、ポリプロピレン、塩化ビニル、フッ素樹脂又はシリコーン樹脂などの樹脂で形成された乾式目地材を打ち込み、部材の端縁部を乾式目地材とともにジョイナーによって挟み込んで固定する構造が提案されている（例えば、特許文献２）。
【先行技術文献】
【特許文献】
【００１１】
【特許文献１】特開２０１１−１５９１０
【特許文献２】特開２００５−  ９２０３
【発明の概要】
【発明が解決しようとする課題】
【００１２】
しかしながら、先に提案された特許文献２の構造にあっては、部材同士を乾式目地材を介して連結することができるが、エプロンに荷重がかからないように部材を連結する構造となっていない。そのため、エプロンの取り付けにあっては、上述した構造とは別に、エプロンに荷重がかからないように支持しつつ、他の部材と乾式目地材を介して連結する構造が市場において求められている。
【００１３】
本発明はかかる事情を鑑みてなされたものであり、壁パネルをエプロン側の端縁に沿って折り曲げておき、洗い場パンの堰部と浴槽のフランジ部との間に架け渡された固定部材がエプロンの左右端縁部を支持するとともに、支持する箇所より洗い場パン側に張り出してエプロンの左右端縁部との間に壁パネルの折り曲げ部分を挟み込む間隙を形成する張出部を備え、この間隙に壁パネルの折り曲げ部分を挟み込み、挟み込まれた壁パネルの折り曲げ部分とエプロンの左右端縁部との間に形成された目地部分に平面視略楔状の乾式目地材を挿入して閉塞することにより、エプロンに荷重がかからないように支持しつつ、エプロンと他の部材とを乾式目地材を介して連結することができるエプロンの取付構造を提供することを目的とする。
【課題を解決するための手段】
【００１４】
本発明に係るエプロンの取付構造は、洗い場パンの堰部と浴槽のフランジ部とで支持されたエプロンの左右端縁部が、洗い場パンから立ち上がる壁パネルに水密に取り付けられるエプロンの取付構造において、前記壁パネルは、前記エプロン側の端縁に沿って折れ曲がる折曲部を備え、洗い場パンの堰部と浴槽のフランジ部との間に架け渡されて前記エプロンの左右端縁部を支持する支持部と、該支持部から洗い場パン側に張り出して前記エプロンの左右端縁部との間で前記壁パネルの折曲部を挟み込む間隙を形成する張出部とを有する固定部材を備え、前記固定部材の間隙に挟み込まれた前記壁パネルの折曲部とエプロンの左右端縁部との間に形成された目地部分は、平面視略楔状の乾式目地材が挿入されて閉塞されていることを特徴とする。
【００１５】
本発明にあっては、壁パネルがエプロン側の端縁に沿って折れ曲がる折曲部を備えることにより、折曲部がエプロンに係わり合う部分となる。
また、固定部材が洗い場パンの堰部と浴槽のフランジ部との間に架け渡されることにより、固定部材が浴槽のフランジ部にかかる入浴者の荷重を受け止める。
また、固定部材がエプロンの左右端縁部を支持する支持部を備えることにより、固定部材がエプロンを支える。
また、固定部材が支持部から洗い場パン側に張り出してエプロンの左右端縁部との間で壁パネルの折曲部を挟み込む間隙を形成する張出部を備えることにより、固定部材がエプロンの左右端縁部との間で壁パネルの折曲部を挟み込んでエプロンと壁パネルとを連結する。
また、固定部材の間隙に挟み込まれた壁パネルの折曲部とエプロンの左右端縁部との間に形成された目地部分が乾式目地材により閉塞されることにより、目地部分からの浸水を防ぐとともに目地部分の外観意匠性を確保する。
また、目地部分に挿入される乾式目地材が平面視略楔状であることにより、壁パネルの折曲部が、乾式目地材の挿入深さに応じて固定部材の張出部側に押圧されて張出部と乾式目地材とで挟持される。
【００１６】
また、本発明に係るエプロンの取付構造は、前記エプロンは、浴槽に向けて切り欠いた形状の係合部が浴槽側の面に設けられ、該係合部の切り欠き部分が浴槽側に先付けされたボルトの軸部に係合するように構成してもよい。
【００１７】
本発明にあっては、エプロンの係合部を受け止めるボルトが浴槽側に先付けされているので、作業中にボルトが落下して紛失させることのないようにできる。
【発明の効果】
【００１８】
本発明にあっては、エプロンに荷重がかからないように支持しつつ、エプロンと他の部材とを乾式目地材を介して連結することができる。
【図面の簡単な説明】
【００１９】
【図１】本発明に係るエプロンの取付構造を示す斜視図である。
【図２】図１に係るエプロンの取付構造を、洗い場パンの立ち上がり壁の中腹部分で横切断したときの断面斜視図である。
【図３】図１に係るエプロンの取付構造を、固定部材の張出部が壁パネルの折曲部を挟持する箇所で横切断したときの断面斜視図である。
【図４】図１に係るエプロンの取付構造を、隣接する壁パネルの折曲部を束ねた箇所で横切断したときの断面斜視図である。
【図５】図４とは異なる、隣接する壁パネルの折曲部を束ねた箇所で横切断したときの断面斜視図である。
【図６】図１に係るエプロンの取付構造を、ジョイナーが隣接する壁パネルの折曲部を束ねて挟持する箇所で横切断したときの断面斜視図である。
【図７】図１に係るエプロンの取付構造のうち、浴槽側に設けられた係合部を示す拡大斜視図である。
【図８】図１に係るエプロンの取付構造を、壁パネル、乾式目地材及び固定部材を外した状態で示す正面図である。
【図９】図８の一部を拡大した正面図であり、（ａ）はエプロンの上端部付近を拡大した正面図、（ｂ）はエプロンの下端部付近を拡大した正面図である。
【発明を実施するための形態】
【００２０】
本発明に係るエプロンの取付構造を本実施の形態を示す図面に基づいて以下説明する。図面に示すとおり、浴室ユニットは、洗い場パン１と、浴槽２と、エプロン３と、壁パネル４と、固定部材５と、ジョイナー６と、乾式目地材７と、天井パネル（図示せず、以下同じ。）とを備える。
【００２１】
洗い場パン１と浴槽２とは、設置面上に並行するように設置されている。洗い場パン１は、ＦＲＰ（繊維強化プラスチック）などの合成樹脂材により形成された平面視略矩形の板部材であり、板の裏面の四隅から設置面に向かって延びる支持脚（図示せず）を備えている。支持脚は、設置面の架台の上に固定され、洗い場パン１を支えている。洗い場パン１は、堰部１０と、嵌合凹部１１とを備える。
【００２２】
堰部１０は、エプロン３の下端部を支えるための部分であり、堰部本体１００と、堰部端１０１とを備える。堰部本体１００は、洗い場パン１の浴槽２に最も近い端縁部に沿って盛り上がって堰を成し、盛り上がった堰の頂きにエプロン３の下端部を嵌め込むための嵌合凹部１０２を備える（図２参照）。堰部端１０１は、堰部本体１００から連続する一部が、洗い場パン１の浴槽２に最も近い端縁部の二隅で折れ曲がって立ち上がっている部分である。堰部端１０１は、中腹部分に形成された載置面１０３を備える。
【００２３】
嵌合凹部１１は、洗い場パン１の端縁部のうち、堰部本体１００が盛り上がる端縁部以外の端縁部に沿って溝状に形成されており、後述する第１壁パネル４０の下端部が嵌り込む部分である。
【００２４】
浴槽２は、洗い場パン１と同様に合成樹脂材により形成され、浴槽本体２０の底面の四隅から設置面に向かって延びる支持脚（図示せず）を備えている。支持脚は、設置面の架台の上に固定され、浴槽２を支えている。また、浴槽２は、フランジ部２１を備える。フランジ部２１は、平面部２１０と、スカート部２１１と、壁パネル取付用の立ち上がり壁２１２とを備える。
【００２５】
平面部２１０は、浴槽本体２０の上端開口から水平方向に鍔状に張り出した部分である。スカート部２１１は、平面部２１０から垂れ下がり、浴槽本体２０の外周壁との間にエプロン３の上端部を嵌め込むための嵌合凹部２１３を形成している。また、立ち上がり壁２１２は、洗い場パン１側の平面部２１０を除く全ての平面部２１０の端縁から立ち上がり、立ち上がりの中腹部分に後述する第２壁パネル４１の下端部を載せるための載置面２１４が形成されている。また、立ち上がり壁２１２は、端部がフランジ部２１より洗い場パン１側に張り出し、張り出した端部に螺子止め部分が設けられている。
【００２６】
エプロン３は、洗い場パン１及び浴槽２と同様に合成樹脂材により形成された正面視略長方形の板状部材であり、洗い場パン１と浴槽２との間に形成された開口を水密に閉塞する。また、エプロン３は、左右端縁部３０が化粧面より洗い場パン１側に僅かに張り出している。また、エプロン３は、化粧面の下方付近に点検口３１と、この点検口３１を塞ぐ点検口蓋３２とを備える。また、エプロン３は、図７に示すとおり、点検口３１近傍の浴槽側の面に係合部３３が取り付けられている。係合部３３は、浴槽２に向かって切り欠かれた切り欠き部３４を備え、洗い場パン１の堰部本体１００の浴槽側に先付けされたボルト３５の軸部に切り欠き部３４が嵌り込むようにされている。また、エプロン３は、図８及び図９に示すとおり、左右端縁部３０の上端面及び下端面の化粧面側が膨らんで膨出部３６を形成している。
【００２７】
壁パネル４は、洗い場パン１、浴槽２及びエプロン３と異なり鋼板により形成された一枚板状の部材であり、図２乃至図６に示すとおり、洗い場パン１の嵌合凹部１１に嵌り込んで立ち上がる第１壁パネル４０と、浴槽２の立ち上がり壁２１２に支持されて立ち上がる第２壁パネル４１とを備える。
【００２８】
第１壁パネル４０は、エプロン３側の端縁部が背面側に平面視略Ｌ字形に折り曲げられた折曲部４００を備える。折曲部４００は、折り曲げられた箇所から背面側に延びる折曲片と、折曲片の先端部が平面視略レ字形に折り返された折曲返し片とを備える。
【００２９】
第２壁パネル４１は、洗い場パン１側の端縁部が背面側に平面視略Ｌ字形に折り曲げられた折曲部４１０を備える。折曲部４１０は、折り曲げられた箇所から背面側に延びる折曲片と、折曲片の先端部が平面視略レ字形に折り返された折曲返し片とを備える。
【００３０】
固定部材５は、鉄、ステンレス、アルミニウム、チタンなどの金属材により形成された帯状部材であり、図１に示すとおり、洗い場パン１の堰部１０と浴槽２のフランジ部２１との間に架け渡されてエプロン３の左右端縁部３０を支える。固定部材５は、支持部５０と、取付端部５１と、張出部５２とを備える。
【００３１】
支持部５０は、エプロン３の左右端縁部３０への貼付面を備え、貼付面の一部にエプロン３の左右端縁部３０への螺子止め部分が形成されている。
【００３２】
取付端部５１は、支持部５０から下方及び上方に延び出て、洗い場パン１の堰部１０及び浴槽２のフランジ部２１への貼付面を備え、貼付面の一部に螺子止め部分が形成されている。
【００３３】
張出部５２は、図１及び図３に示すとおり、支持部５０から洗い場パン１側に張り出し、張り出した先端が平面視略Ｚ字形に折れ曲がり、エプロン３の左右端縁部３０の第１壁パネル４０に向かう面に対向する対向面と、第１壁パネル４０の背面に接触する接触面とを備える。張出部５２は、対向面とエプロン３の左右端縁部３０の第１壁パネル４０に向かう面との間で平面視略コ字形を成し、エプロン３の左右端縁部３０に沿って開口する間隙５３を形成する。間隙５３は、第１壁パネル４０の折曲部４００が嵌り込んだ状態で挟み込むができる程度に開いている。
【００３４】
ジョイナー６は、図４乃至図６に示すとおり、第１壁パネル４０の折曲部４００と第２壁パネル４１の折曲部４１０とを連結するための連結部材であり、帯状に形成されている。ジョイナー６は、平面視略コ字形を成し、長手方向に沿って間隙６０が形成され、この間隙６０の内側に折り込まれた挟持片６１を備える。また、ジョイナー６は、図１に示すとおり、端部に浴槽２のフランジ部２１の立ち上がり壁２１２に螺子込むための螺子止め部分が形成されている。
【００３５】
乾式目地材７は、図２乃至図６に示すとおり、第１壁パネル４０の折曲部４００と第２壁パネル４１の折曲部４１０との間に形成された目地部分や、第１壁パネル４０の折曲部４００とエプロン３の左右端縁部３０との間に形成された目地部分を閉塞するための部材である。乾式目地材７は、目地部分に合わせて帯状に形成され、目地部分の水密性及び外観意匠性を確保するための目地材本体７０と、挿入片７１と、係止片７２とを備える。目地材本体７０は、目地部分を閉塞する帯状部分であり、アクリル系エラストマー（軟質アクリル）により形成されている。挿入片７１は、目地材本体７０から挿入方向に先細りするように平面視楔状に突き出しており、ＡＢＳ樹脂（アクリロニトリル−ブタジエン−スチレン共重合合成樹脂）により形成されている。係止片７２は、挿入片７１の側面から突き出して挿入片７１が間隙から抜けることを防ぐ部分である。
【００３６】
このように、浴室ユニットは、複数の部材及び部分により構成されている。そこで、これらの部材及び部分が取り付けられた状態について説明する。まず、エプロン３は、現場にて、図１に示すとおり、左右端縁部３０に固定部材５の支持部５０が貼り付けられて螺子止めがなされる。このとき、固定部材５は、張出部５２の対向面とエプロン３の左右端縁部３０の第１壁パネル４０に向かう面との間で平面視略コ字形を成し、間隙５３を形成する。
【００３７】
エプロン３は、上述する状態で上端部が浴槽２のフランジ部２１の嵌合凹部２１３に嵌め込まれる。このとき、エプロン３は、図９に示すとおり、左右端縁部３０の上端面の膨出部３６以外の部分に形成された僅かな空間Ｆに止水材（図示せず）が貼り付けられる。なお、貼り付けられた止水材は、膨出部３６により化粧面側から見えないようになっている。
【００３８】
次に、エプロン３は、図１に示すとおり、下端部が洗い場パン１の堰部本体１００の嵌合凹部１０２に嵌め込まれるとともに、左右端縁部３０が洗い場パン１の堰部端１０１の載置面１０３に載せられる。また、エプロン３は、図７に示すとおり、係合部３３の切り欠き部３４が、洗い場パン１の堰部本体１００の浴槽側に先付けされたボルト３５の軸部に嵌り込む。このとき、エプロン３は、図９に示すとおり、左右端縁部３０の下端面の膨出部３６以外の部分に形成された僅かな空間Ｆに止水材（図示せず）が貼り付けられる。なお、貼り付けられた止水材は、膨出部３６により化粧面側から見えないようになっている。
【００３９】
エプロン３は、図１に示すとおり、上述する状態で固定部材５の取付端部５１が、洗い場パン１の堰部端１０１と浴槽２のフランジ部２１の立ち上がり壁２１２とに貼り付けられ、ドリルビスなどの螺子１０４と螺子２１５とを用いて螺子止めがなされる。また、上述した状態のボルト３５は、点検口３１から取り入れられた工具により締め付けられ、図７に示すとおり、軸部に嵌め込まれた係合部３３を挟み付ける。このとき、エプロン３は、固定部材５により支持されて浴槽２のフランジ部２１にかかる入浴者の荷重から守られた状態となる。
【００４０】
次に、第１壁パネル４０は、図２乃至図３に示すとおり、下端部が洗い場パン１の嵌合凹部１１に嵌め込まれるとともに、折曲部４００の下方部分が固定部材５とエプロン３の左右端縁部３０との間に形成された間隙５３に挟み込まれる。間隙５３は、開口がやや窄まるように形成されているので、折曲部４００の折曲片が奥まで挿入された状態で、窄まった開口が折曲返し片に係わり合って折曲部４００を抜け難くする。このとき、第１壁パネル４０の折曲部４００とエプロン３の左右端縁部３０との間には、目地部分が形成されている。また、第１壁パネル４０は、背面が固定部材５の張出部５２の接触面により支えられた状態となり安定している。
【００４１】
次に、第２壁パネル４１は、図４乃至図６に示すとおり、下端部が浴槽２のフランジ部２１の立ち上がり壁２１２の載置面２１４に載せられる。第２壁パネル４１は、上述した状態で、折曲部４１０が、先に取り付けられている第１壁パネル４０の折曲部４００のうちの間隙５３に挟み込まれていない部分と束ねられ、束ねられた部分がジョイナー６の間隙６０に挟み込まれる。このとき、束ねられた部分は、ジョイナー６の挟持片６１により挟持される。ジョイナー６は、上述した状態で下端部が浴槽２のフランジ部２１の立ち上がり壁２１２にドリルビスなどの螺子２１６を用いて螺子止めされる。このとき、第１壁パネル４０の折曲部４００と第２壁パネル４１の折曲部４１０との間には、目地部分が形成されている。
【００４２】
最後に、第１壁パネル４０の折曲部４００とエプロン３の左右端縁部３０との間に形成された目地部分、及び、第１壁パネル４０の折曲部４００と第２壁パネル４１の折曲部４１０との間に形成された目地部分には、図２乃至図６に示すとおり、乾式目地材７の挿入片７１が挿入される。乾式目地材７は、挿入片７１が目地部分の奥まで挿入された状態で、第１壁パネル４０の折曲部４００を固定部材５の張出部５２の対向面側に押圧する。その結果、少なくとも、第１パネル４０の折曲部４００は、固定部材５の張出部５２の対向面とエプロン３の左右端縁部３０の第１壁パネル４０に向かう面との間で挟持される。
【符号の説明】
【００４３】
１  洗い場パン
１０  堰部
１００  堰部本体
１０１  堰部端
１０２  嵌合凹部
１０３  載置面
１０４  螺子
２  浴槽
２０  浴槽本体
２１  フランジ部
２１０  平面部
２１１  スカート部
２１２  立ち上がり壁
２１３  嵌合凹部
２１４  載置面
２１５  螺子
２１６  螺子
３  エプロン
３０  左右端縁部
３１  点検口
３２  点検口蓋
３３  係合部
３４  切り欠き部
３５  ボルト
３６  膨出部
４  壁パネル
４０  第１壁パネル
４００  折曲部
４１  第２壁パネル
４１０  折曲部
５  固定部材
５０  支持部
５１  取付端部
５２  張出部
５３  間隙
６  ジョイナー
６０  間隙
６１  挟持片
７  乾式目地材
７０  目地材本体
７１  挿入片
７２  係止片
【図１】
0005660501.tif 000002
【図２】
0005660501.tif 000003
【図３】
0005660501.tif 000004
【図４】
0005660501.tif 000005
【図５】
0005660501.tif 000006
【図６】
0005660501.tif 000007
【図７】
0005660501.tif 000008
【図８】
0005660501.tif 000009
【図９】
0005660501.tif 000010